(57)【要約】【課題】３５ｍｍフィルム用の撮影レンズをデジタル一眼レフカメラで使用する際に、撮像素子の撮影画角を超える角度からの光線をカットする可動レンズフードを提供すること。【解決手段】レンズ鏡筒１の先端部分の外周部に、略円筒状の部材を前記レンズ鏡筒１の光軸に沿って移動可能に配設し、最も像面側に設定されたとき３５ｍｍフィルムの最大撮影画角を超える角度からの入射光線をカットし、最も被写体側に設定されたとき３５ｍｍフィルムの最大撮影画角より小さい撮像素子の撮影画角を超える角度からの入射光線をカットすることを特徴とする可動レンズフード３。【選択図】図１
2007127975.tif 000002
【特許請求の範囲】
【請求項１】
レンズ鏡筒の先端部分の外周部に、略円筒状の部材を前記レンズ鏡筒の光軸に沿って移動可能に配設し、最も像面側に設定されたとき３５ｍｍフィルムの最大撮影画角を超える角度からの入射光線をカットし、最も被写体側に設定されたとき３５ｍｍフィルムの最大撮影画角より小さい撮像素子の撮影画角を超える角度からの入射光線をカットすることを特徴とする可動レンズフード。
【請求項２】
前記略円筒状の部材は、４枚の花弁状の部材からなることを特徴とする請求項１に記載の可動レンズフード。
【請求項３】
請求項１または請求項２に記載の可動レンズフードを有する撮影レンズ。
【発明の詳細な説明】
【技術分野】
【０００１】
本発明は、レンズフードに関する。
【背景技術】
【０００２】
従来、一眼レフカメラ用のレンズには、撮影画角以上の光線をカットするために、レンズ鏡筒本体に４枚の花弁状（チューリップ型）かつ円筒状の固定レンズフードが設けられていたり、ズーミングに伴う撮影レンズの撮影画角の変化に応じて光軸方向に伸縮可能なレンズフードが知られている（例えば、特許文献１参照）。
【特許文献１】実開平６−７３７４５号公報
【発明の開示】
【発明が解決しようとする課題】
【０００３】
従来の一眼レフカメラ用のレンズでは、レンズフードは３５ｍｍフィルムの撮影範囲（撮影画角）に対応するように設計されている。そしてこれらのレンズは、最近のデジタル一眼レフカメラに使用することが可能である。
【０００４】
しかしながら、３５ｍｍフィルム用に設計された撮影レンズを、デジタル一眼レフカメラに使用すると、デジタル一眼レフカメラに用いられている撮像素子（例えば、ＣＣＤ等）の撮像領域が、３５ｍｍフィルムに比較して小さいためにこれらレンズに設けられているレンズフードでは撮像素子の撮影画角を超える角度からの光線をカットすることができずレンズフードの効果を十分に発揮することができないという問題がある。
【０００５】
本発明は、上記課題に鑑みて行われたものであり、３５ｍｍフィルム用の撮影レンズをデジタル一眼レフカメラで使用する際に、撮像素子の撮影画角を超える角度からの光線をカットする可動レンズフードを提供することを目的とする。
【課題を解決するための手段】
【０００６】
上記課題を解決するために、本発明は、レンズ鏡筒の先端部分の外周部に、略円筒状の部材を前記レンズ鏡筒の光軸に沿って移動可能に配設し、最も像面側に設定されたとき３５ｍｍフィルムの最大撮影画角を超える角度からの入射光線をカットし、最も被写体側に設定されたとき３５ｍｍフィルムの最大撮影画角より小さい撮像素子の撮影画角を超える角度からの入射光線をカットすることを特徴とする可動レンズフードを提供する。
【０００７】
また、本発明の可動レンズフードでは、前記略円筒状の部材は、４枚の花弁状の部材からなることが好ましい。
【０００８】
また、本発明は、前記可動レンズフードを有する撮影レンズを提供する。
【発明の効果】
【０００９】
本発明によれば、撮像素子の撮影画角を超える角度からの光線をカットする可動レンズフードを提供することができる。
【発明を実施するための最良の形態】
【００１０】
以下、本発明の一実施の形態に関し図面を参照しつつ説明する。
【００１１】
図１は、本発明の実施の形態にかかる可動レンズフードを有する撮影レンズの概略断面図である。図２は、当該撮影レンズの被写体側から見た図（正面図）で、撮影画角の説明図である。図３は、デジタルカメラに装着し、可動レンズフードを被写体方向にスライドして最大画角を撮像素子用に制限した状態を示す。
【００１２】
図１において、撮影レンズ１は、３５ｍｍフィルム用の撮影レンズ１（例えば、広角レンズ等）に本発明にかかる可動レンズフード３が配設され、不図示の３５ｍｍフィルム一眼レフカメラにレンズマウント１０を介して装着され、使用される場合の可動レンズフード３の位置を示している。
【００１３】
撮影レンズ１は、被写体側の先端部分に、固定レンズフード５が設けられている。固定レンズフード５は、図２に示すように、４枚の花弁状の部材５ａ、５ｂ、５ａ、５ｂが円周方向に順に並べられ、かつ略円筒状に形成されて撮影レンズ１の被写体側の先端部分に固定されている。固定レンズフード５には、３５ｍｍフィルムの撮影領域Ａの最大画角ＡＡを規定する対角線方向Ｃ１またはＣ２に対応する４箇所に、像面方向に略台形状の切り欠き部５ｃ（図１参照）が形成されている。この切り欠き部５ｃは、撮影領域Ａの最大画角ＡＡ以上（図１中のＡ１で示す）の光線をカットして撮影領域Ａに入射することを防止している。
【００１４】
可動レンズフード３は、固定レンズフード５の被写体側先端部分と略同形状の４枚の花弁状の部分３ａ、３ｂ，３ａ、３ｂを周方向に順に有する円筒状の部材から形成され、固定レンズフード５の台形状の切り欠き部５ｃに対応する同形状の切り欠き部３ｃが形成され、固定レンズフード５の外周部に光軸方向に摺動可能に嵌合されている。また、可動レンズフード３の像面側の端面部分には、撮影レンズ１の先端部分に光軸方向に沿って形成されたガイド溝１ａに係合する鍔部３ｄが形成されている。ガイド溝１ａと鍔部３ａとが摺動可能に嵌合することによって、可動レンズフード３が固定レンズフード５の外周部を光軸方向に移動できると共に、撮影レンズ１から外れることを防止することができる。また、可動レンズフード３の被写体側先端部分と固定レンズフード５の被写体側先端部分はほぼ一致するように形成されている。なお、ガイド溝１ａによって可動レンズフード３は、回転を規制されており、４枚の花弁状の部分が固定レンズフード５に対して位置ずれすることは無い。
【００１５】
また、ガイド溝１ａは光軸方向に距離Ｌにわたって溝が形成されている。図３に示すように、可動レンズフード３を被写体方向に距離Ｌ伸張することによって、図２に示すデジタルカメラの撮像素子Ｂ（例えば、２／３インチＣＣＤ素子など）の最大画角ＢＢを超える方向(図３中のＢ１で示す)からの光線を、台形状の切り欠き部３ｃでカットし撮像素子Ｂに入射することを防止することが可能となる。
【００１６】
この様に、本発明にかかる可動レンズフード３は、撮影レンズ１に設けられた固定レンズフード５と略同形の４枚の花弁状の部材３ａ，３ｂ，３ａ、３ｂと４箇所の台形状の切り欠き部３ｃを有し、撮影レンズ１の光軸方向に伸張可能にかつ回転を規制されて形成されているので、可動レンズフード３が収納された状態では（図１参照）３５ｍｍフィルムの最大画角ＡＡを超える方向（図１中のＡ１で示す）からの光線を固定レンズフード５でカットしてフィルム面Ａに入射することを防止することができる。また、可動レンズフード３を撮影レンズ１から被写体方向に距離Ｌ伸張させた状態では（図３参照）、デジタルカメラの撮像素子Ｂの最大画角ＢＢを超える方向（図３中のＢ１で示す）からの光線をカットして撮像素子Ｂに入射することを防止することができる。この結果、３５ｍｍフィルム用の撮影レンズ１を３５ｍｍフィルム一眼レフカメラとデジタル一眼レフカメラの両方に使用し、それぞれ最大画角を超える方向からの光線の入射をカットすることが可能になる。
【００１７】
なお、可動レンズフード３の被写体側の先端部分を固定レンズフード５の被写体側の先端部分にほぼ一致するように形成することで、固定レンズフード５を省くことが可能である。即ち、可動レンズフード３を光軸方向に距離Ｌ伸縮可能に形成することで、可動レンズフード３が固定レンズフード５の役目を果たすことができる。
【００１８】
なお、可動レンズフード３は、固定レンズフード５と同じ材料、例えば樹脂やアルミ軽合金などの金属、で形成し表面を墨染めなどの反射防止処理を施すことで不要な光が入射することを防止できる。
【００１９】
なお、上述の実施の形態は例に過ぎず、上述の構成や形状に限定されるものではなく、本発明の範囲内において適宜修正、変更が可能である。
【図面の簡単な説明】
【００２０】
【図１】実施の形態にかかる可動レンズフードを有する撮影レンズの概略断面図である。
【図２】当該撮影レンズの被写体側から見た図（正面図）で、撮影画角の説明図である。
【図３】デジタルカメラに装着し、可動レンズフードをスライドして最大画角を撮像素子用に制限した状態を示す。
【符号の説明】
【００２１】
１    撮影レンズ
３    可動レンズフード
５    固定レンズフード
１０  レンズマウント
Ａ    ３５ｍｍフィルム撮像領域
Ｂ    撮像素子の撮像領域
【図１】
2007127975.tif 000003
【図２】
2007127975.tif 000004
【図３】
2007127975.tif 000005